(57)【特許請求の範囲】
【請求項１】
第１壁体と該第１壁体に対して直交状とされた第２壁体とによって区画されるように設けられる開口を開閉する戸体と、
長手方向中央部が前記開口に位置するように前記第１壁体に沿うように配され、かつ前記戸体の戸幅方向一端部の上端側を、上下方向に沿う軸廻りに回転自在に前記第１壁体の壁幅方向に沿って移動自在にガイドする第１レールと、
長手方向一端部が前記第１レールの長手方向中央部に連通して接続されるように前記開口の幅方向に沿うように配され、かつ前記戸体の戸幅方向中央部の上端側を、該戸体の上端側に設けられた中央被ガイド部を介して、上下方向に沿う軸廻りに回転自在に前記開口の幅方向に沿って移動自在にガイドする第２レールと、
を備えており、
前記中央被ガイド部は、前記戸体が開放位置とされた状態で前記第１レール内に位置されることを特徴とする扉装置。
【請求項２】
請求項１において、
前記第１レールの下方側に位置するように対状に配される下側の第１レールを備えており、
前記戸体の戸幅方向一端部の上下両側には、前記上下両側の第１レールにガイドされる被ガイド部が設けられていることを特徴とする扉装置。
【請求項３】
請求項２において、
前記戸体の戸幅方向一端部の上下両側の被ガイド部は、上下方向に軸方向を沿わせた連結軸によって連動して回転するように連結された被ガイド回転体とされ、
前記上下両側の第１レールには、前記上下両側の被ガイド回転体が連動して回転するようにガイドするガイド部が設けられていることを特徴とする扉装置。
【請求項４】
請求項１乃至３のいずれか１項に記載の扉装置を用いた扉設置構造であって、
第１壁体と該第１壁体に対して直交状とされた第２壁体とによって区画するように開口を設け、前記第１レールを、長手方向中央部が前記開口に位置するように前記第１壁体に沿うように設け、前記第２レールを、前記開口の幅方向に沿うように設け、これら第１レール及び第２レールに、前記開口を開閉する前記戸体を建て付けた構造とされていることを特徴とする扉設置構造。
【請求項５】
請求項４において、
前記第１壁体に、開放位置の前記戸体を収容する収容凹所を設け、前記第１レールをこの収容凹所に位置するように設けたことを特徴とする扉設置構造。
【請求項６】
第１壁体と該第１壁体に対して直交状とされた第２壁体とによって区画するように開口を設け、前記開口を開閉する戸体の戸幅方向一端部の上端側を、上下方向に沿う軸廻りに回転自在に前記第１壁体の壁幅方向に沿って移動自在にガイドする第１レールを、長手方向中央部が前記開口に位置するように前記第１壁体に沿うように設け、前記戸体の戸幅方向中央部の上端側を、上下方向に沿う軸廻りに回転自在に前記開口の幅方向に沿って移動自在にガイドする第２レールを、長手方向一端部が前記第１レールの長手方向中央部に接続されるように前記開口の幅方向に沿うように設け、前記第１壁体に、開放位置の前記戸体を収容する収容凹所を設け、前記第１レールをこの収容凹所に位置するように設け、これら第１レール及び第２レールに、前記戸体を建て付けた構造とされており、
前記戸体は、閉鎖位置において戸尻側端部が前記収容凹所の底面に近接される構造とされていることを特徴とする扉設置構造。
【発明の詳細な説明】
【技術分野】
【０００１】
本発明は、扉装置及びこれを用いた扉設置構造に関する。
【背景技術】
【０００２】
従来より、出入口等となる開口を開閉する扉が知られている。例えば、下記特許文献１には、収納箱と部屋の壁との間の開口を開閉するドアを、壁に水平回転自在に取り付けた構造の開示がある。
【先行技術文献】
【特許文献】
【０００３】
【特許文献１】実開昭６０−１９１６０６号公報
【発明の概要】
【発明が解決しようとする課題】
【０００４】
しかしながら、上記のようなドアは、戸尻側端部を支点として戸先側を大きく移動させるように回転させて開閉する必要があるため、戸先が移動する側に大きなスペースが必要になるという問題があった。
【０００５】
本発明は、上記実情に鑑みてなされたものであり、開閉の際に要する戸先が移動する側のスペースを小さくし得る扉装置及びこれを用いた扉設置構造を提供することを目的としている。
【課題を解決するための手段】
【０００６】
上記目的を達成するために、本発明に係る扉装置は、第１壁体と該第１壁体に対して直交状とされた第２壁体とによって区画されるように設けられる開口を開閉する戸体と、長手方向中央部が前記開口に位置するように前記第１壁体に沿うように配され、かつ前記戸体の戸幅方向一端部の上端側を、上下方向に沿う軸廻りに回転自在に前記第１壁体の壁幅方向に沿って移動自在にガイドする第１レールと、長手方向一端部が前記第１レールの長手方向中央部に連通して接続されるように前記開口の幅方向に沿うように配され、かつ前記戸体の戸幅方向中央部の上端側を、該戸体の上端側に設けられた中央被ガイド部を介して、上下方向に沿う軸廻りに回転自在に前記開口の幅方向に沿って移動自在にガイドする第２レールと、を備えており、前記中央被ガイド部は、前記戸体が開放位置とされた状態で前記第１レール内に位置されることを特徴とする。
【０００７】
また、上記目的を達成するために、本発明に係る扉設置構造は、本発明に係る扉装置を用いた扉設置構造であって、第１壁体と該第１壁体に対して直交状とされた第２壁体とによって区画するように開口を設け、前記第１レールを、長手方向中央部が前記開口に位置するように前記第１壁体に沿うように設け、前記第２レールを、前記開口の幅方向に沿うように設け、これら第１レール及び第２レールに、前記開口を開閉する前記戸体を建て付けた構造とされていることを特徴とする。
また、上記目的を達成するために、本発明に係る扉設置構造は、第１壁体と該第１壁体に対して直交状とされた第２壁体とによって区画するように開口を設け、前記開口を開閉する戸体の戸幅方向一端部の上端側を、上下方向に沿う軸廻りに回転自在に前記第１壁体の壁幅方向に沿って移動自在にガイドする第１レールを、長手方向中央部が前記開口に位置するように前記第１壁体に沿うように設け、前記戸体の戸幅方向中央部の上端側を、上下方向に沿う軸廻りに回転自在に前記開口の幅方向に沿って移動自在にガイドする第２レールを、長手方向一端部が前記第１レールの長手方向中央部に接続されるように前記開口の幅方向に沿うように設け、前記第１壁体に、開放位置の前記戸体を収容する収容凹所を設け、前記第１レールをこの収容凹所に位置するように設け、これら第１レール及び第２レールに、前記戸体を建て付けた構造とされており、前記戸体は、閉鎖位置において戸尻側端部が前記収容凹所の底面に近接される構造とされていることを特徴とする。
【発明の効果】
【０００８】
本発明に係る扉装置及びこれを用いた扉設置構造は、上述のような構成としたことで、開閉の際に要する戸先が移動する側のスペースを小さくすることができる。
【図面の簡単な説明】
【０００９】
【図１】本発明の一実施形態に係る扉装置及びこれを用いた扉設置構造の一例を模式的に示す一部破断概略横断面図である。
【図２】（ａ）、（ｂ）は、いずれも図１に対応させた一部破断概略横断面図である。
【図３】同扉装置及び同扉設置構造の一部破断概略横断面図である。
【図４】（ａ）、（ｂ）は、同扉装置及び同扉設置構造の一例を模式的に示す一部破断概略斜視図である。
【発明を実施するための形態】
【００１０】
以下に本発明の実施の形態について、図面に基づいて説明する。
なお、以下の実施形態では、本実施形態に係る扉装置を設置した状態を基準として上下方向等の方向を説明する。
【００１１】
図１〜図４は、本実施形態に係る扉装置及びこれを用いた扉設置構造の一例を模式的に示す図である。
本実施形態に係る扉装置１は、図１及び図４に示すように、第１壁体３とこの第１壁体３に対して直交状とされた第２壁体７とによって区画されるように設けられる開口２を開閉する戸体１０を備えている。また、扉装置１は、長手方向中央部が開口２に位置するように第１壁体３に沿うように配される第１レール２０と、長手方向一端部が第１レール２０の長手方向中央部に接続されるように開口２の幅方向に沿うように配される第２レール２５と、を備えている。第１レール２０は、戸体１０の戸幅方向一端部としての戸尻側端部１４の上端側を、上下方向に沿う軸１５廻りに回転自在に第１壁体３の壁幅方向に沿って移動自在にガイドする構成とされている。第２レール２５は、戸体１０の戸幅方向中央部の上端側を、上下方向に沿う軸１７廻りに回転自在に開口２の幅方向に沿って移動自在にガイドする構成とされている。
また、本実施形態では、扉装置１は、第１レール２０の下方側に位置するように対状に配される下側の第１レール２０Ａを備えている。
【００１２】
本実施形態に係る扉設置構造は、本実施形態に係る扉装置１を用いた設置構造とされている。この扉設置構造は、第１壁体３と第１壁体３に対して直交状とされた第２壁体７とによって区画するように開口２を設け、第１レール２０を、長手方向中央部が開口２に位置するように第１壁体３に沿うように設けた構造とされている。また、この扉設置構造は、第２レール２５を、開口２の幅方向に沿うように設け、これら第１レール２０及び第２レール２５に、開口２を開閉する戸体１０を建て付けた構造とされている。また、本実施形態では、上側第１レール２０の下方側に下側第１レール２０Ａを設けた構造としている。
【００１３】
開口２は、図１及び図２に示すように、開口幅方向両側が第１壁体３と第２壁体７とによって区画されるように、かつ、第２壁体７を貫通するように設けられている。つまり、開口２は、第２壁体７の壁厚方向両側空間を往来する際の出入口を構成するように設けられている。
本実施形態に係る扉設置構造は、図４に示すように、この開口２を、床から天井に至るように設けた構造とされている。つまり、開口２の下側を床面によって区画し、開口２の上側を天井面によって区画した例を示している。つまりは、第２壁体７を、第１壁体３の壁面から第２壁体７の壁幅方向に離間させるように設けた構造としている。なお、第２壁体７としては、固定的に設けられた間仕切壁に限られず、可動式の間仕切壁としたり、収納箱等としてもよい。
【００１４】
また、本実施形態では、第１壁体３に、後記するように開放位置とされる戸体１０を収容する収容凹所４を設け、上下両側の第１レール２０，２０Ａを、この収容凹所４に位置するように設けた構成としている。
収容凹所４は、第１壁体３の壁厚方向一方側となる開口幅方向中心側に向けて開口するように設けられ、開口幅方向中心側に向く底面が開口２の幅方向一方側の内側面を構成する。また、この収容凹所４は、第１壁体３の壁幅方向に沿う方向（幅方向）中央部が、第２壁体７の壁厚方向に沿う方向で開口２（第２壁体７）と一致する位置となるように設けられている。この収容凹所４の深さ寸法や、上下寸法、第１壁体３の壁幅方向に沿う寸法は、戸体１０の収容が可能なように、適宜の寸法とされている。本実施形態では、収容凹所４を、第１壁体３の上下方向の全体に亘って設け、その上下両側に、上下両側の第１レール２０，２０Ａを埋込状に設けた構成としている。
【００１５】
また、本実施形態では、この収容凹所４の幅方向両内側面に、この収容凹所４の幅方向中心側に向けてそれぞれに開口する受凹部６，６が設けられたラッチ受５，５をそれぞれに設けた構成としている。これらラッチ受５，５には、収容凹所４の開口縁に沿うようにラッチ当たり部がそれぞれに設けられている。
また、開口２の反収容凹所側の内側面となる幅方向他方側の内側面を構成する第２壁体７の端面に、開口２の幅方向中心側に向けて開口する受凹部９が設けられたラッチ受８を設けた構成としている。このラッチ受８には、第２壁体７の壁厚方向両側縁に沿うようにラッチ当たり部がそれぞれに設けられている。
また、これらラッチ受５，５，８は、同高さに位置するように設けられている。
【００１６】
戸体１０は、略矩形平板状とされており、上下寸法及び戸幅寸法が開口２の高さ寸法及び幅寸法に応じた寸法とされている。
この戸体１０は、図１及び図２に示すように、戸幅方向他端部としての戸先側端部１１に、戸幅方向に出没自在とされたラッチ１３を設けた構成とされている。このラッチ１３が上記した各ラッチ受５，５，８の受凹部６，６，９に差し入れられ、戸体１０の開放位置及び閉鎖位置の維持がなされる。なお、このラッチ１３は、戸厚方向両面側にラッチ受５，５，８のラッチ当たり部への当接に伴い当該ラッチ１３を没入させる傾斜ガイド面が設けられたものとしてもよい。
また、戸体１０の戸先側端部１１の戸厚方向両側には、ラッチ１３を没入させる操作部としての把手（ハンドル）１２，１２が設けられている。このような把手１２，１２としては、戸厚方向に沿う軸廻りに回転操作されるレバー状やノブ状とされたものとしてもよいが、戸厚方向に沿って押圧操作及び引張操作がなされるいわゆるプッシュプルハンドルとしてもよい。図例では、これら把手１２，１２を、戸体１０の略厚さ内に埋込状に設けた例を示している。
【００１７】
この戸体１０の戸尻側端部１４の上端側には、上側第１レール２０にガイドされる被ガイド部１６が設けられている。本実施形態では、戸体１０の戸尻側端部１４の下端側にも、下側第１レール２０Ａにガイドされる被ガイド部１６を設けた構成としている。
また、本実施形態では、これら上下両側の被ガイド部１６，１６を、上下方向に軸方向を沿わせた連結軸１５によって連動して回転するように連結された被ガイド回転体１６，１６としている（図３及び図４参照）。
連結軸１５は、戸体１０の高さ方向（上下方向）に長手方向（軸方向）を沿わせた長尺状とされ、戸体１０の戸尻側端部１４を貫通するように設けられている。また、この連結軸１５は、戸体１０の上端面及び下端面から上下方向に突出するように設けられている。なお、戸体１０に、この連結軸１５を回転自在に保持する軸受部を設けた構成としてもよい。
被ガイド回転体１６，１６は、連結軸１５の上下端部に、それぞれ回転不能に固定されている。本実施形態では、図３に示すように、これら被ガイド回転体１６，１６を、戸体１０に対して連結軸１５廻りに連結軸１５と供廻りするピニオン（歯車）１６，１６としている。これら上下両側のピニオン１６，１６は、互いに同様の構成とされている。
【００１８】
また、本実施形態では、戸体１０の戸幅方向中央部の上端側に、第２レール２５にガイドされる中央被ガイド部１８を設けた構成としている。本実施形態では、この中央被ガイド部１８を、第２レール２５の幅方向（第２壁体７の壁厚方向）に軸方向を沿わせた軸廻りに回転自在とされた転動体を同レール幅方向に間隔を空けて設けた構成とされたランナー１８としている。このランナー１８は、上下方向に沿う軸１７としてのランナー軸１７を介して戸体１０の上端側に設けられている。
ランナー軸１７は、戸体１０の上端面から上方に向けて突出するように、かつ、軸方向を上下方向に沿わせるように設けられ、ランナー１８を戸体１０に対して上下方向に沿う軸廻りに回転自在に保持する構成とされている。なお、ランナー軸１７に対してランナー１８を回転自在に設けた態様に代えて、戸体１０にランナー軸１７を上下方向に沿う軸廻りに回転自在に保持する軸受部を設けた構成としてもよい。つまりは、本実施形態のように、中央被ガイド部を上記のようなランナー１８とした場合には、このランナー１８が戸体１０に対して上下方向に沿う軸廻りに回転自在とされたものであればよい。
【００１９】
上下両側の第１レール２０，２０Ａは、第１壁体３の壁幅方向に沿って長尺状とされている。これら第１レール２０，２０Ａは、互いに概ね同様の構成とされており、互いに向き合う方向となる上下方向に開口し、戸体１０のピニオン１６，１６を受け入れるガイド溝２１，２１をそれぞれに全長に亘って設けた構成とされている（図３参照）。なお、図３では、上側第１レール２０及び後記する第２レール２５の天板部側を破断した横断面図を示している。
また、本実施形態では、これら上下両側の第１レール２０，２０Ａのそれぞれに、ピニオン１６，１６が連動して回転するように、これらピニオン１６，１６をガイドするガイド部としてのラック部２３，２３を設けた構成としている。
【００２０】
これら上下両側の第１レール２０，２０Ａのラック部２３，２３は、ガイド溝２１，２１の溝幅方向一方側の側壁部を構成するように設けられている。これらラック部２３，２３は、戸体１０の上下両側のピニオン１６，１６にそれぞれ噛み合う構成とされ、第１レール２０，２０Ａの略全長に亘って設けられている。また、図例では、これらラック部２３，２３を、収容凹所４の底面側に沿うように設けた例を示している。
これら上下両側のラック部２３，２３に戸体１０の上下両側のピニオン１６，１６が噛み合いながら連動して回転することで、戸体１０の戸尻側端部１４の上下両側が上下両側の第１レール２０，２０Ａに沿って同期的に移動するようにガイドされる。つまり、戸体１０の戸尻側端部１４の上下両側が平面視して互いに重なり合った状態を保って移動するように上下両側の第１レール２０，２０Ａに沿ってガイドされる。
【００２１】
また、上下両側の第１レール２０，２０Ａには、ガイド溝２１，２１の溝幅方向他方側を区画するように側壁部２２，２２がそれぞれに設けられている。これら側壁部２２，２２は、ガイド溝２１，２１内に配されたピニオン１６，１６に近接または当接するように、好ましくは当接しないように設けられている。また、上側第１レール２０の側壁部２２のレール長手方向中央部に、後記する第２レール２５の長手方向一端部が接続されている。図例では、上側第１レール２０のガイド溝２１と第２レール２５のガイド溝２６とが連通するように、側壁部２２に切欠状の開口部を設けた例を示している。
また、上下両側の第１レール２０，２０Ａには、両側壁部２２，２３，２２，２３から溝幅方向中心側に向けて突出するように抜止片部２４，２４，２４，２４が設けられている。これら抜止片部２４，２４，２４，２４によって戸体１０の上下両側のピニオン１６，１６のガイド溝２１，２１からの脱離が防止されている。また、これら抜止片部２４，２４，２４，２４間の溝幅方向に沿う寸法は、ピニオン１６，１６がラック部２３，２３に噛み合うように、戸体１０の連結軸１５の径に応じた寸法とされている。
【００２２】
なお、上側第１レール２０の両抜止片部２４，２４によって戸体１０の上端側のピニオン１６を上吊状に保持する構成としてもよい。この場合、両抜止片部２４，２４の上面に、戸体１０の上端側のピニオン１６の下面側との摺動性を向上すべく、長手方向に延びる突条等を設けたりしてもよい。または、下側第１レール２０Ａの底板部側において戸体１０の戸尻側端部１４側の荷重を受ける構成としてもよい。この場合は、下側第１レール２０Ａの底板部上に、戸体１０の下端側のピニオン１６の下面側との摺動性を向上すべく、長手方向に延びる突条等を設けたりしてもよい。若しくは、戸体１０の下端側のピニオン１６の下方側に、下側第１レール２０Ａの底板部上を走行自在とされた自在キャスター等を設けた構成としてもよい。
また、上下両側の第１レール２０，２０Ａは、天井側や床側に埋込状に設けた態様に限られず、天井側や床側に付設状に設けた構成としてもよい。
【００２３】
第２レール２５は、開口２の幅方向（第２壁体７の壁幅方向）に沿って長尺状とされ、第２壁体７の壁厚方向で第２壁体７の壁厚方向中心に一致する位置となるように設けられている。
また、第２レール２５は、図３に示すように、下方側に向けて開口し、戸体１０のランナー１８を受け入れるガイド溝２６を全長に亘って設けた構成とされている。
この第２レール２５は、上側第１レール２０との接続部から開口２の幅方向の全体に亘って設けられるものとしてもよいが、図例では、上記接続部から開口２の開口幅方向略中央部までの長さ寸法とされたものとしている。
【００２４】
また、第２レール２５には、ガイド溝２６の溝幅方向両側を区画するように両側壁部２７，２７が設けられている。また、第２レール２５には、これら両側壁部２７，２７の下端部から互いに向き合う方向に突出し、戸体１０のランナー１８を案内支持する案内片部２８，２８が設けられている。これら案内片部２８，２８上を、ランナー１８の転動体が走行する構成とされている。また、これら案内片部２８，２８間の溝幅方向に沿う寸法は、戸体１０のランナー軸１７の径に応じた寸法とされている。
また、これら案内片部２８，２８は、図３に示すように、上側第１レール２０の側壁部２２側の抜止片部２４に連なるように設けられている。戸体１０が開放位置とされた状態におけるランナー１８は、第２レール２５のガイド溝２６に連通する上側第１レール２０のガイド溝２１内に位置し、上側第１レール２０の抜止片部２４，２４に支持される。
【００２５】
なお、第２レール２５を、天井側に埋込状や付設状に設けた構成としてもよい。
また、第２レール２５（または上側第１レール２０）の適所に、戸体１０が開放位置及び閉鎖位置の両方または一方とされた状態のランナー１８を捕捉したり、移動を抑制したりする、いわゆるキャッチ機構を設けた構成としてもよい。この場合は、上記したラッチ１３やラッチ受５，５，８等を設けないようにしてもよい。
また、この第２レール２５と上側第１レール２０とは、一体的に成形されたものとしてもよく、別体とされたものを接合したものとしてもよい。また、これら第１レール２０，２０Ａ及び第２レール２５は、適宜の金属系材料や合成樹脂系材料から成形されたものとしてもよい。
【００２６】
上記構成とされた第１レール２０，２０Ａ及び第２レール２５にガイドされる戸体１０は、以下のように、開口２を閉鎖する閉鎖位置と収容凹所４に収容される開放位置とを移動自在とされている。
図１及び図４（ａ）に示すように、戸体１０を閉鎖位置とすれば、戸体１０の戸先側端部１１が開口２の反収容凹所側の内側面に近接し、ラッチ１３がラッチ受８の受凹部９に挿入され、戸体１０の戸尻側端部１４が収容凹所４の底面に近接した状態となる。なお、閉鎖位置の戸体１０の戸尻側端部１４と収容凹所４の底面との隙間や、戸先側端部１１と開口２の反収容凹所側の内側面との隙間を遮蔽するモヘア等の隙間遮蔽部材を設けた構成としてもよい。
また、この閉鎖位置では、戸体１０の戸尻側端部１４の上下両側のピニオン１６，１６が上下両側の第１レール２０，２０Ａの長手方向中央部に位置し、戸幅方向中央部の上端側のランナー１８が開口２の幅方向略中央部に位置する。
【００２７】
この閉鎖位置とされた戸体１０の戸先側端部１１を、図２（ａ）及び図４（ｂ）に示すように、第２壁体７の壁厚方向一方側に移動させれば、戸先側端部１１が第２壁体７の壁厚方向を短径とする楕円の四半円弧上を移動するように、収容凹所４側に向けて移動する。また、この際、戸体１０の戸尻側端部１４が第１レール２０，２０Ａに沿って同壁厚方向他方側に移動しながら戸体１０の戸幅方向中央部が第２レール２５に沿って収容凹所４側に移動し、開放位置となる。この開放位置では、戸体１０の戸先側端部１１が収容凹所４の一方の内側面に近接し、この一方の内側面側に設けられたラッチ受５の受凹部６にラッチ１３が挿入され、戸体１０の戸尻側端部１４が収容凹所４の他方の内側面に近接した状態となる。また、この開放位置では、戸体１０の戸尻側端部１４の上下両側のピニオン１６，１６が上下両側の第１レール２０，２０Ａにおける収容凹所４の他方の内側面側の端部に位置し、戸幅方向中央部の上端側のランナー１８が上側第１レール２０の長手方向中央部に位置する。
【００２８】
一方、閉鎖位置とされた戸体１０の戸先側端部１１を、図２（ｂ）に示すように、上記とは逆側となる第２壁体７の壁厚方向他方側に移動させれば、詳述は省略するが、戸体１０の各部が上記とは逆側に概ね同様に移動して開放位置となる。つまり、この開放位置では、戸体１０の戸先側端部１１が収容凹所４の他方の内側面に近接し、この他方の内側面側に設けられたラッチ受５の受凹部６にラッチ１３が挿入され、戸体１０の戸尻側端部１４が収容凹所４の一方の内側面に近接した状態となる。また、この開放位置では、戸体１０の戸尻側端部１４の上下両側のピニオン１６，１６が上下両側の第１レール２０，２０Ａにおける収容凹所４の一方の内側面側の端部に位置し、戸幅方向中央部の上端側のランナー１８が上側第１レール２０の長手方向中央部に位置する。
【００２９】
また、本実施形態では、上述のようにそれぞれの開放位置とされた戸体１０の戸厚方向反収容凹所側に向く面が第１壁体３の壁面と略同一平面状となるように戸体１０が収容凹所４に収容される構造としている。なお、このような態様に代えて、開放位置とされた戸体１０の戸厚方向反収容凹所側に向く面が第１壁体３の壁面よりも収容凹所４の底面側に位置する構造としたり、開放位置とされた戸体１０が第１壁体３の壁面よりも突出する構造としたりしてもよい。
また、上述のようにそれぞれの開放位置とされた戸体１０を、閉鎖位置とする際には、詳述は省略するが、各開放位置側への移動軌跡に沿うように逆側に移動し、閉鎖位置とされる。
【００３０】
本実施形態に係る扉装置１及びこれを用いた扉設置構造は、上述のような構成としたことで、開閉の際に要する戸先が移動する側のスペースを小さくすることができる。
つまり、戸体１０の戸尻側端部１４を上下方向に沿う軸１５廻りに回転自在に第１壁体３の壁幅方向に沿って移動自在にガイドする第１レール２０を、上記のように設けた構成としている。また、戸体１０の戸幅方向中央部を上下方向に沿う軸１７廻りに回転自在に開口２の幅方向に沿って移動自在にガイドする第２レール２５を、上記のように設けた構成としている。従って、上述のように、閉鎖位置とされた戸体１０を開放させる際には、戸尻側端部１４が戸先側端部１１とは第２壁体７の壁厚方向で逆側に移動しながら戸体１０が開放される。これにより、戸尻側端部が軸支されたものと比べて、開放する際に要する戸先が移動する側のスペースを小さくすることができる。また、この開放位置から閉鎖する際も同様、戸尻側端部が軸支されたものと比べて、閉鎖する際に要する戸先が移動する側のスペースを小さくすることができる。
【００３１】
また、第２壁体７の壁厚方向両側のいずれ側からでも戸先側端部１１を押すように移動させることで開放させることができるので、開閉の際に要する戸先が移動する側の省スペース化が図れることも相俟って、開閉の際における操作性を向上させることもできる。
また、戸体１０が開放位置において第１壁体３に沿うように配されることとなるので、戸体１０を引戸とした場合に必要となる第２壁体７側における引戸納めスペースを不要にすることができる。また、例えば、戸体１０を折戸としたものと比べて、有効開口幅を効果的に大きくすることができる。
【００３２】
また、本実施形態では、第１壁体３に、開放位置の戸体１０を収容する収容凹所４を設け、第１レール２０（２０Ａ）を、この収容凹所４に位置するように設けた構造としている。従って、開口２を開放させた際に戸体１０を収容凹所４に収容させることができるので、有効開口幅をより効果的に大きくすることができ、また、開放位置の戸体１０との接触等を抑制することができる。なお、このような収容凹所４を設けずに、開放位置の戸体１０を、第１壁体３の壁面に沿わせるように納める態様としてもよい。
【００３３】
また、本実施形態では、上側第１レール２０の下方側に位置するように対状に配される下側第１レール２０Ａを設け、戸体１０の戸尻側端部１４の上下両側に、上下両側の第１レール２０，２０Ａにガイドされる被ガイド部１６，１６を設けた構成としている。従って、戸体１０を開閉させる際に、上下両側の第１レール２０，２０Ａに沿って戸体１０の戸尻側端部１４を円滑に移動させることができ、戸体１０の下端側の振れや捩れ等を低減することができる。
【００３４】
また、本実施形態では、戸体１０の戸尻側端部１４の上下両側の被ガイド部１６，１６を、連結軸１５によって連結された被ガイド回転体（ピニオン）１６，１６としている。また、上下両側の第１レール２０，２０Ａに、上下両側の被ガイド回転体１６，１６が連動して回転するようにガイドするガイド部（ラック部）２３，２３を設けた構成としている。従って、戸体１０を開閉させる際に、戸体１０の戸尻側端部１４の上下両側の被ガイド回転体１６，１６が上下両側の第１レール２０，２０Ａのガイド部２３，２３に沿って同期的に回転しながら移動されることとなる。これにより、戸体１０を開閉させる際に、戸体１０の戸尻側端部１４をより円滑に移動させることができ、戸体１０の下端側の振れや捩れ等をより効果的に低減することができる。
【００３５】
また、本実施形態では、被ガイド回転体をピニオン１６，１６とし、ガイド部をラック部２３，２３としている。従って、ピニオン１６，１６がラック部２３，２３に噛み合いながら移動することとなるので、戸体１０の下端側の振れや捩れ等をより効果的に低減することができる。
なお、被ガイド回転体１６としては、ピニオンに限られず、スプロケットや、周面が高摩擦面とされた円板状とされたものとしてもよい。また、これに対応させて、ガイド部２３を、一方の側壁部に設けられたチェーンや、高摩擦面等としてもよい。また、高摩擦面同士が当接するように、被ガイド回転体１６をガイド部２３に向けて押し付けるように付勢する付勢部等を設けた構成としてもよい。被ガイド回転体１６及びガイド部２３としては、その他、種々の構成とされたものの採用が可能である。
【００３６】
また、上記のような被ガイド回転体１６及びガイド部２３を設けた態様に代えて、戸体１０の上下両側の被ガイド部１６，１６を、連動して回転されないものとしてもよい。例えば、これら上下両側の被ガイド部１６，１６を、上下両側の第１レール２０，２０Ａのガイド溝２１，２１に沿ってそれぞれに個別にガイドされるランナーやピボット等としてもよい。この場合は、上下両側の第１レール２０，２０Ａを必要に応じて変形するようにしてもよい。
また、本実施形態では、戸体１０が上側第１レール２０及び第２レール２５に上吊状に保持される構成とし、下側第１レール２０Ａを設け、下側第２レールを設けていない例を示しているが、このような態様に限られない。例えば、下側第１レール２０Ａを設けないようにしてもよく、この場合は、戸体１０の戸尻側端部１４の下端側に被ガイド部１６を設けないようにしてもよい。また、下側第２レールを設けた態様としてもよく、この場合は、戸体１０の戸幅方向中央部の下端側に被ガイド部を設けた態様としてもよい。
【００３７】
また、戸体１０が上吊状に保持される態様に代えて、下荷重型としてもよく、この場合は、戸体１０の戸幅方向中央部及び戸尻側端部１４の下端側に、床等の走行対象上を走行自在とされた自在キャスター等を設けた構成としてもよい。また、この場合は、戸体１０の戸幅方向中央部の上端側の中央被ガイド部１８を、ランナーとせずに、ピボット等としてもよい。戸体１０の戸尻側端部１４及び戸幅方向中央部の上端側に設けられる被ガイド部１６，１８としては、その他、種々の構成とされたものの採用が可能であり、また、これらに応じて、第１レール２０及び第２レール２５も種々の構成とされたものの採用が可能である。
また、本実施形態では、開口２を、床から天井に至るように設けた例を示しているが、開口２の上側を、第２壁体７を構成する垂れ壁によって区画した態様としてもよい。また、開口２の上側や、反第１壁体（反収容凹所）側の内側面を、適宜の戸枠等によって区画するようにしてもよく、収容凹所４の幅方向両内側面にも適宜の戸枠等を設けた構成としてもよい。
【符号の説明】
【００３８】
１      扉装置
１０    戸体
１４    戸尻側端部（戸幅方向一端部）
１５    連結軸（軸）
１６    ピニオン（被ガイド回転体（被ガイド部））
１７    ランナー軸（軸）
２０    上側第１レール（第１レール）
２０Ａ  下側第１レール（下側の第１レール）
２３    ラック部（ガイド部）
２５    第２レール
２      開口
３      第１壁体
４      収容凹所
７      第２壁体
【図１】
0006555516.tif 000002
【図２】
0006555516.tif 000003
【図３】
0006555516.tif 000004
【図４】
0006555516.tif 000005